(57)【要約】【課題】患者の体にかかる負担を軽減しつつ、皮下組織の間質に溜まった水分の除去可能な埋め込みポートを提供する。【解決手段】本開示に係る埋め込みポートは、外部から針部材が挿入される挿入開口及び前記挿入開口に連なる貯留空間を内部に区画するハウジングと、前記挿入開口を閉塞すると共に、前記針部材を刺通可能なシール部材と、前記ハウジングに取り付けられ、前記ハウジングの外部の液体を前記ハウジングの内部の前記貯留空間に導く集液経路を区画する集液部材と、を備える。【選択図】図２
2020162777.tif 000002
【特許請求の範囲】
【請求項１】
外部から針部材が挿入される挿入開口及び前記挿入開口に連なる貯留空間を内部に区画するハウジングと、
前記挿入開口を閉塞すると共に、前記針部材を刺通可能なシール部材と、
前記ハウジングに取り付けられ、前記ハウジングの外部の液体を前記ハウジングの内部の前記貯留空間に導く集液経路を区画する集液部材と、を備える埋め込みポート。
【請求項２】
前記集液部材は、内部の中空部に連なる複数の開口が周壁に形成されているチューブ部材であり、
前記集液経路は、前記中空部により構成されている、請求項１に記載の埋め込みポート。
【請求項３】
前記集液部材は、長手方向に沿って延在し前記貯留空間と連通する長溝が側面に形成されているドレーンあり、
前記集液経路は、前記長溝により構成されている、請求項１に記載の埋め込みポート。
【請求項４】
前記集液部材は、前記ハウジングに取り付けられる一端側とは反対側の他端側において、複数に分岐している、請求項２又は３に記載の埋め込みポート。
【請求項５】
前記集液部材は多孔質部材であり、
前記集液経路は、前記多孔質部材の空隙により構成されている、請求項１に記載の埋め込みポート。
【請求項６】
前記多孔質部材はシート状である、請求項５に記載の埋め込みポート。
【請求項７】
前記多孔質部材の周囲を覆い、前記ハウジングの外部から前記多孔質部材の前記空隙へ浸透圧により前記液体の移動を促進する膜部材を更に備える、請求項５又は６に記載の埋め込みポート。
【請求項８】
前記ハウジングには、複数の前記集液部材が取り付けられている、請求項１から７のいずれか１つに記載の埋め込みポート。
【発明の詳細な説明】
【技術分野】
【０００１】
本開示は埋め込みポートに関し、特に、皮下組織の間質の水分を除去可能な埋め込みポートに関する。
【背景技術】
【０００２】
従来から、例えばうっ血性心不全により、顔面・四肢にうっ血が発生することが知られている。このようなうっ血に対して、利尿薬を利用して除水する治療が一般的に行われている。
【０００３】
特許文献１には、患者の密閉された深い傷部内に配置され、この傷部から液体を体外に取り出すことが可能な傷部ドレーンカテーテルが開示されている。
【先行技術文献】
【特許文献】
【０００４】
【特許文献１】特開昭５７−１６０４７１号公報
【発明の概要】
【発明が解決しようとする課題】
【０００５】
心不全に伴ううっ血治療として、上述した利尿薬の利用のみの治療では除水しきれず、うっ血が残存する場合がある。うっ血の残存は諸臓器の傷害を進行させ、心不全をさらに悪化させる可能性がある。
【０００６】
これに対して、特許文献１に記載されているような、体内から体外に亘って延在する傷部ドレーンカテーテルを活用する方法が考えられる。しかしながら、心不全に伴ううっ血に対する除水治療は、数日に一度（例えば２、３日に一度）の頻度で繰り返し行われることが予想される。そのため、特許文献１の傷部ドレーンカテーテルを活用する場合は、除水治療の度に局所麻酔を行う必要がある。また、除水治療の度に傷部ドレーンカテーテルを経皮的に皮下組織に挿入する必要がある。更に、除水治療が終わる度に、傷部ドレーンカテーテルを抜去し、ドレッシング等の保護部材により患部を保護する必要がある。このように、心不全に伴ううっ血に対する除水治療において、特許文献１の傷部ドレーンカテーテルを活用すると、患者の体にかかる負担が大きくなる。
【０００７】
本開示は、患者の体にかかる負担を軽減しつつ、皮下組織の間質に溜まった水分の除去可能な埋め込みポートを提供することを目的とする。
【課題を解決するための手段】
【０００８】
本開示の第１の態様としての埋め込みポートは、外部から針部材が挿入される挿入開口及び前記挿入開口に連なる貯留空間を内部に区画するハウジングと、前記挿入開口を閉塞すると共に、前記針部材を刺通可能なシール部材と、前記ハウジングに取り付けられ、前記ハウジングの外部の液体を前記ハウジングの内部の前記貯留空間に導く集液経路を区画する集液部材と、を備える。
【０００９】
本開示の１つの実施形態として、前記集液部材は、内部の中空部に連なる複数の開口が周壁に形成されているチューブ部材であり、前記集液経路は、前記中空部により構成されている。
【００１０】
本開示の１つの実施形態として、前記集液部材は、長手方向に沿って延在し前記貯留空間と連通する長溝が側面に形成されているドレーンあり、前記集液経路は、前記長溝により構成されている。
【００１１】
本開示の１つの実施形態として、前記集液部材は、前記ハウジングに取り付けられる一端側とは反対側の他端側において、複数に分岐している。
【００１２】
本開示の１つの実施形態として、前記集液部材は多孔質部材であり、前記集液経路は、前記多孔質部材の空隙により構成されている。
【００１３】
本開示の１つの実施形態として、前記多孔質部材はシート状である。
【００１４】
本開示の１つの実施形態としての埋め込みポートは、前記多孔質部材の周囲を覆い、前記ハウジングの外部から前記多孔質部材の前記空隙へ浸透圧により前記液体の移動を促進する膜部材を更に備える。
【００１５】
本開示の１つの実施形態として、前記ハウジングには、複数の前記集液部材が取り付けられている。
【発明の効果】
【００１６】
本開示によれば、患者の体にかかる負担を軽減しつつ、皮下組織の間質に溜まった水分の除去可能な埋め込みポートを提供することができる。
【図面の簡単な説明】
【００１７】
【図１】本開示に係る埋め込みポートを用いて行う除水治療の概要を示す図である。
【図２】皮下組織内に留置されている状態の、本開示の第１実施形態としての埋め込みポートを示す断面図である。
【図３】図２に示す埋め込みポートを用いて除水治療が行われている状態を示す、図２と同位置での断面図である。
【図４】図２に示す埋め込みポートの第１変形例を示す図である。
【図５】図２に示す埋め込みポートの第２変形例を示す図である。
【図６】図２に示す埋め込みポートの第３変形例を示す図である。
【図７】図２に示す埋め込みポートの第４変形例を示す図である。
【図８】図２に示す埋め込みポートの第５変形例を示す図である。
【図９Ａ】図２に示す埋め込みポートの第６変形例を示す図である。
【図９Ｂ】図９Ａに示す埋め込みポートの上面図である。
【発明を実施するための形態】
【００１８】
以下、本開示に係る埋め込みポートの実施形態について図面を参照して例示説明する。各図において共通する部材・部位には同一の符号を付している。
【００１９】
図１は、本開示に係る埋め込みポートを用いて行う除水治療の概要を示す図である。本開示に係る埋め込みポートは、例えばうっ血性心不全などの心不全により入院する患者Ｐの体内に留置される。図１では、患者Ｐの脚の皮下組織内に留置された、本開示に係る埋め込みポートを用いて行う除水治療の概要が示されている。詳細は後述するが、本開示に係る埋め込みポートは、皮下組織に留置されており、皮下組織の間質に溜まった水分を除去するために用いられる。図１に示す除水治療は、例えば、利尿薬、トルバプタン等による除水治療に加えて又は代えて行うことができる。また、図１に示す除水治療は、患者Ｐのうっ血の状態に応じて、例えば２、３日に一度などの、所定の周期で実施される。図１に示す１回の除水治療に要する時間は、患者Ｐのうっ血の状態によっても異なるが、例えば２〜８時間など、数時間に及ぶことがある。本開示に係る埋め込みポートは、図１に示す除水治療が行なわれていない間も、患者Ｐの皮下組織内に留置された状態である。つまり、患者Ｐは、本開示に係る埋め込みポートが体内に留置された状態で入院生活を送ることができる。
【００２０】
図１に示す除水治療は、皮下組織内に留置された本開示に係る埋め込みポートを利用して、間質に溜まった水分を体外へと排出する。この除水治療は、例えば、体外に配置される吸引装置１００を用いて行うことができる。この吸引装置１００により吸引することで、間質に溜まった水分を、本開示に係る埋め込みポート、後述する針部材４１及び吸引チューブ１０１を通じて、体外へと排出することができる。
【００２１】
図２は、図１に示す除水治療に利用可能な本開示の一実施形態としての埋め込みポート１を示す図である。図３は、図２に示す埋め込みポート１を用いて除水治療が行われている状態を示す図である。図２、図３はいずれも、表皮Ｓ及び真皮Ｄより内側の皮下組織ＳＴ内に留置されている状態の埋め込みポート１の断面を示している。
【００２２】
図２、図３に示すように、埋め込みポート１は、ハウジング２と、シール部材３と、集液部材４と、を備えている。
【００２３】
ハウジング２は、挿入開口１１及び貯留空間１２を内部に区画している。挿入開口１１は、後述するシール部材３により閉塞されている。貯留空間１２は、後述するシール部材３よりも内方の空間である。より具体的に、本実施形態の挿入開口１１は、シール部材３が位置する空間を意味する。また、本実施形態の貯留空間１２は、シール部材３が位置する挿入開口１１に対して内方に連なる空間を意味する。
【００２４】
本実施形態のハウジング２は、筒状部１３と、この筒状部１３の一端側を閉鎖する底板部１４と、を備える。上述の挿入開口１１は、筒状部１３により区画されている。また、上述の貯留空間１２は、筒状部１３及び底板部１４により区画されている。
【００２５】
本実施形態の筒状部１３は、挿入開口１１を区画する大径部と、この大径部に連続し、大径部よりも内径の小さい小径部と、を備える。挿入開口１１に位置する後述のシール部材３は、その底面の周縁部が大径部の内面と小径部の内面との間の段差面１３ｂに当接することで、底板部１４側にそれ以上移動しないように位置決めされている。また、本実施形態の貯留空間１２は、筒状部１３の小径部及び底板部１４により区画されている。
【００２６】
筒状部１３の周壁には、外部と貯留空間１２とを連通する連通孔１３ａが形成されている。より具体的に、本実施形態の連通孔１３ａは、筒状部１３の小径部の周壁に形成されている。後述する集液部材４としてのチューブ部材３１における中空部３１ａは、この連通孔１３ａを通じて、貯留空間１２と連通する。チューブ部材３１は、連通孔１３ａ内に内嵌めされて固定されているが、例えば外嵌めによる固定等、他の取付構成であってもよい。
【００２７】
また、本実施形態のハウジング２は、筒状部１３及び底板部１４により構成されているが、挿入開口１１及び貯留空間１２を区画する構成であれば、その形状については特に限定されない。更に、ハウジング２は、１つ以上の部材により構成されていればよく、複数の部材を接合して一体化されていてもよい。
【００２８】
ハウジング２の形成材料は、耐薬品性、生体適合性を有する材料が好ましく、ポリスルフォン、ポリエーテルスルフォン、エポキシ樹脂、ポリアセタールなどが挙げられる。
【００２９】
シール部材３は、ハウジング２の挿入開口１１を閉塞する。このシール部材３は、後述する針部材４１（図３参照）を刺通可能に構成されている。
【００３０】
シール部材３は、後述する吸引用の針部材４１（図３参照）の刺通が可能である。また、シール部材３によれば、針部材４１が抜去されると、その刺通された部分がシールされる。シール部材３は、弾性材料により形成されている。シール部材３の形成材料としては、シリコーンゴム、イソプレンゴム、天然ゴム等の各種ゴム類、ポリウレタン、ポリアミドエラストマー、ポリブタジエン、軟質塩化ビニル等の各種樹脂、またはこれらのうち２以上を組み合わせたもの等が挙げられるが、そのなかでも特に、生体に対し不活性で、比較的物性変化の少ないシリコーンゴムが好ましい。
【００３１】
集液部材４は、ハウジング２に取り付けられている。また、集液部材４は、集液経路４ａを区画している。この集液経路４ａは、ハウジング２の外部の液体をハウジング２の内部の貯留空間１２に導く経路である。集液部材４は、ハウジング２の外部である皮下組織ＳＴ内で間質に溜まった水分をハウジング２の内部の貯留空間１２に導く経路を区画していればよく、その構成は特に限定されない。
【００３２】
本実施形態の集液部材４はチューブ部材３１である。つまり、本実施形態の集液経路４ａは、チューブ部材３１の中空部３１ａにより構成されている。また、本実施形態の集液部材４としてのチューブ部材３１の周壁には、内部の中空部３１ａに連なる複数の開口３２が形成されている。開口３２は、チューブ部材３１の長手方向Ａ（チューブ部材３１では軸方向と同じ方向）の異なる位置に形成されていてもよい。また、開口３２は、チューブ部材３１の周方向Ｂの異なる位置に形成されていてもよい。開口３２の個数、形状、大きさは、適宜設計可能であり、本実施形態の個数、形状、大きさに限られない。
【００３３】
本実施形態のチューブ部材３１は、上述の開口３２の他に先端開口が形成されている構成であるが、先端開口はなくてもよい。また、本実施形態のチューブ部材３１は、長手方向Ａの全域に亘り同一外径および同一内径を有する構成である。チューブ部材３１の外径は、５ｍｍ〜１０ｍｍが好ましく、特に７ｍｍ〜１０ｍｍが好ましい。また、チューブ部材３１の内径は、２ｍｍ〜９ｍｍが好ましく、特に、６ｍｍ〜９ｍｍが好ましい。
【００３４】
また、チューブ部材３１は、可撓性、好ましくはある程度の弾性を有するものが用いられる。チューブ部材３１の形成材料としては、例えば、オレフィン系エラストマー（例えば、ポリエチレンエラストマー、ポリプロピレンエラストマー）、ポリエチレンテレフタレートなどのポリエステル、軟質ポリ塩化ビニル、ポリウレタンおよびウレタン系エラストマー、ポリアミドおよびアミド系エラストマー（例えば、ポリアミドエラストマー）、フッ素樹脂エラストマー、エチレン−酢酸ビニル共重合体、シリコーンゴム等の可撓性を有する高分子材料が挙げられる。
【００３５】
図２、図３に示すように、埋め込みポート１が皮下組織ＳＴに留置された状態で、集液部材４は、ハウジング２から皮下組織ＳＴ内に延在した状態となる。図３に示すように、埋め込みポート１が皮下組織ＳＴに留置された状態で、体表面から中空の針部材４１が穿刺される。針部材４１は、埋め込みポート１のシール部材３を刺通するように穿刺される。これにより、針部材４１の先端が貯留空間１２に到達した状態となる。この状態で、吸引装置１００による吸引が開始される。吸引装置１００による吸引が開始されると、埋め込みポート１の貯留空間１２が負圧状態になる。また、この貯留空間１２に連なる、集液部材４としてのチューブ部材３１の中空部３１ａも負圧状態となる。そのため、皮下組織ＳＴの間質に溜まった水分は、開口３２を通じて中空部３１ａ内に取り込まれる。更に、間質から中空部３１ａ内に取り込まれた水分は、中空部３１ａを通じて、貯留空間１２まで運ばれる。また更に、貯留空間１２に到達した水分は、針部材４１及び吸引チューブ１０１を通じて体外に排出される。このように、埋め込みポート１を用いることで、針部材４１を経皮的に穿刺するだけで、皮下組織ＳＴの間質に溜まった水分を体外に排出できる。つまり、患者Ｐ（図１参照）の体にかかる負担を軽減しつつ、皮下組織ＳＴの間質に溜まった水分を除去することができる。
【００３６】
次に、図２、図３に示す埋め込みポート１の第１変形例について説明する。図４は、第１変形例としての埋め込みポート２０１を示す図である。図４に示す埋め込みポート２０１は、図２、図３に示す埋め込みポート１と比較して、集液部材４が複数設けられている点で構成が相違する。ここでは、この相違点についてのみ説明し、埋め込みポート１と共通する構成については説明を省略する。
【００３７】
図４に示す埋め込みポート２０１は、ハウジング２０２と、シール部材３と、集液部材４と、を備えている。
【００３８】
図４に示すハウジング２０２の筒状部１３の周壁には、外部と貯留空間１２とを連通する連通孔１３ａが複数形成されている。図４に示す埋め込みポート２０１は、複数の集液部材４として、２つのチューブ部材３１を備えている。各チューブ部材３１は、各連通孔１３ａに挿入された状態で、ハウジング２０２に取り付けられている。このように、複数の集液部材４を設けることで、１つの集液部材４とする構成と比較して、皮下組織ＳＴのより広い範囲に集液部材４を配置することができる。そのため、皮下組織ＳＴの間質に溜まった水分の集液効率を高めることができる。
【００３９】
図４では、ハウジング２０２に２つの連通孔１３ａが設けられ、２つのチューブ部材３１がハウジング２０２に取り付けられているが、３つ以上の連通孔１３ａそれぞれに対して、チューブ部材３１を接続するようにしてもよい。
【００４０】
次に、図２、図３に示す埋め込みポート１の第２変形例について説明する。図５は、第２変形例としての埋め込みポート３０１を示す図である。図５に示す埋め込みポート３０１は、図２、図３に示す埋め込みポート１と比較して、集液部材４が複数設けられている点、及び、各集液部材４としてのチューブ部材が複数に分岐する構成である点、で構成が相違する。ここでは、この相違点についてのみ説明し、埋め込みポート１と共通する構成については説明を省略する。
【００４１】
図５に示す埋め込みポート３０１は、ハウジング２０２と、シール部材３と、集液部材４と、を備えている。ハウジング２０２の構成は、上述した第１変形例と同様であるため、ここでは説明を省略する。
【００４２】
図５に示す集液部材４としてのチューブ部材３３１は、ハウジング２０２に取り付けられる一端側とは反対側の他端側において、複数に分岐している。具体的に、図５に示す集液部材４としてのチューブ部材３３１は、ハウジング２０２の連通孔１３ａに接続されているチューブ本体部３３１ａと、このチューブ本体部３３１ａの先端側に連続し複数に分岐するチューブ枝部３３１ｂと、を備える。複数のチューブ枝部３３１ｂそれぞれの中空部は、チューブ本体部３３１ａの中空部に連通している。このようにすることで、１つの集液部材４の皮下組織ＳＴ（図２等参照）での延在領域を拡げることができる。そのため、皮下組織ＳＴの間質に溜まった水分の集液効率を高めることができる。１つのチューブ本体部３３１ａに対するチューブ枝部３３１ｂの数は、２本に限られず、３つ以上としてもよい。
【００４３】
図５では、図４と同様、ハウジング２０２に２つの連通孔１３ａ（図４参照）が設けられ、２つのチューブ部材３３１がハウジング２０２に取り付けられているが、１つのみ又は３つ以上の連通孔１３ａそれぞれに対して、チューブ部材３３１を接続するようにしてもよい。
【００４４】
次に、図２、図３に示す埋め込みポート１の第３変形例について説明する。図６は、第３変形例としての埋め込みポート４０１の集液部材４を示す図である。図６に示す埋め込みポート４０１は、図２、図３に示す埋め込みポート１と比較して、集液部材４がドレーン４３１により構成されている点で相違する。ここでは、この相違点についてのみ説明し、埋め込みポート１と共通する構成については説明を省略する。
【００４５】
図６に示す集液部材４としてのドレーン４３１の側面には、長手方向Ａに沿って延在し、ハウジング２（図２参照）の貯留空間１２（図２参照）と連通する長溝４３１ａが形成されている。つまり、図６に示す集液部材４の集液経路４ａは、ドレーン４３１の長溝４３１ａにより構成されている。図６に示すドレーン４３１には、周方向Ｂの異なる位置に４つの長溝４３１ａが形成されているが、長溝４３１ａの数は３つ以下であってもよく、５つ以上であってもよい。
【００４６】
より具体的に、図６に示すドレーン４３１は、２つの板状体が十文字状にクロスした横断面形状を有する骨格部４３３ａと、各板状体の先端に連続し、周方向Ｂに延在する湾曲板部４３３ｂと、を備える。図６に示す４つの湾曲板部４３３ｂは、全体で１つの円筒を描くように周方向Ｂに所定間隔を空けて配置されている。換言すれば、周方向Ｂで隣接する２つの湾曲板部４３３ｂの間には間隙が形成されている。上述のドレーン４３１の長溝４３１ａは、周方向Ｂで隣接する２つの湾曲板部４３３ｂの間の間隙、及び、骨格部４３３ａを構成する十文字状の板状体のうち周方向Ｂで隣接する部分の間の間隙、により構成されている。
【００４７】
図６に示すドレーン４３１は、上述した骨格部４３３ａ及び湾曲板部４３３ｂにより構成されているが、長手方向Ａに沿って延在し、ハウジング２（図２参照）の貯留空間１２（図２参照）と連通する長溝４３１ａが側面に形成されている構成であれば、図６に示す構成に限られない。
【００４８】
次に、図２、図３に示す埋め込みポート１の第４変形例について説明する。図７は、第４変形例としての埋め込みポート５０１を示す図である。図７に示す埋め込みポート５０１は、図２、図３に示す埋め込みポート１と比較して、集液部材４が多孔質部材５３１により構成されている点で相違する。ここでは、この相違点についてのみ説明し、埋め込みポート１と共通する構成については説明を省略する。
【００４９】
図７に示す集液部材４の集液経路４ａは、多孔質部材５３１の空隙により構成されている。集液部材４としての多孔質部材５３１は、例えば、内部の空隙が連続気泡構造のスポンジにより構成することができる。
【００５０】
次に、図２、図３に示す埋め込みポート１の第５変形例について説明する。図８は、第５変形例としての埋め込みポート６０１を示す図である。図８に示す埋め込みポート６０１は、図２、図３に示す埋め込みポート１と比較して、集液部材４が多孔質部材５３１により構成されている点、及び、多孔質部材５３１に膜部材６３４が巻かれている点、で相違する。ここでは、この相違点についてのみ説明し、埋め込みポート１と共通する構成については説明を省略する。
【００５１】
集液部材４としての多孔質部材５３１は、上述した第４変形例の構成と同様であるため、ここでは説明を省略する。膜部材６３４は、多孔質部材５３１の周囲を覆い、ハウジング２（図２参照）の外部から多孔質部材５３１の空隙へ浸透圧により液体の移動を促進する。このような膜部材６３４を備えることで、多孔質部材５３１への水分の移動が促進される。膜部材６３４は、例えば、ポリビニルアルコールのフィルムからなる半透膜の間に多糖類が封入されている構成が挙げられる。
【００５２】
次に、図２、図３に示す埋め込みポート１の第６変形例について説明する。図９Ａ、図９Ｂは、第６変形例としての埋め込みポート７０１を示す図である。図９Ａ、図９Ｂに示す埋め込みポート７０１は、図２、図３に示す埋め込みポート１と比較して、集液部材４がシート状の多孔質部材７３１により構成されている点で相違する。ここでは、この相違点についてのみ説明し、埋め込みポート１と共通する構成については説明を省略する。
【００５３】
図９Ａ、図９Ｂに示す埋め込みポート７０１は、ハウジング７０２と、シール部材３と、集液部材４と、を備える。
【００５４】
ハウジング７０２は、筒部材７１３ａと、底板部材７１３ｂと、を備える。筒部材７１３ａは軸方向両端が開放されている。筒部材７１３ａの一端側の開口は、底板部材７１３ｂにより閉鎖されている。
【００５５】
図９Ａ、図９Ｂに示す集液部材４としてのシート状の多孔質部材７３１は、ハウジング７０２の筒部材７１３ａと底板部材７１３ｂとの間で挟み込まれ挟持されているが、シート状の多孔質部材７３１をハウジング７０２に対して別の方法で固定してもよい。
【００５６】
図９Ａ、図９Ｂに示すように、集液部材４をシート状の多孔質部材７３１により構成することで、１つの集液部材４の皮下組織ＳＴでの延在領域を拡げることができる。そのため、皮下組織ＳＴの間質に溜まった水分の集液効率を高めることができる。
【００５７】
図９Ａ、図９Ｂでは、１つのシート状の多孔質部材７３１が設けられた埋め込みポート７０１としたが、複数のシート状の多孔質部材７３１が設けられた埋め込みポートとしてもよい。
【００５８】
本開示に係る埋め込みポートは、上述した実施形態及び変形例に記載した具体的な構成に限られず、特許請求の範囲の記載を逸脱しない限り、種々の変形・変更が可能である。上述した実施形態及び変形例では、集液部材４として、チューブ部材、ドレーン及び多孔質部材のいずれか１種のみを用いているが、例えば、複数種を組み合わせた埋め込みポートとしてもよい。
【産業上の利用可能性】
【００５９】
本開示は埋め込みポートに関し、特に、皮下組織の間質の水分を除去可能な埋め込みポートに関する。
【符号の説明】
【００６０】
１、２０１、３０１、４０１、５０１、６０１、７０１：埋め込みポート
２、２０２、７０２：ハウジング
３：シール部材
４：集液部材
４ａ：集液経路
１１：挿入開口
１２：貯留空間
１３：筒状部
１３ａ：連通孔
１３ｂ：段差面
１４：底板部
３１、３３１：チューブ部材
３１ａ：チューブ部材の中空部
３２：開口
４１：針部材
１００：吸引装置
１０１：吸引チューブ
３３１ａ：チューブ本体部
３３１ｂ：チューブ枝部
４３１：ドレーン
４３１ａ：長溝
４３３ａ：骨格部
４３３ｂ：湾曲板部
５３１、７３１：多孔質部材
６３４：膜部材
７１３ａ：筒部材
７１３ｂ：底板部材
７１４：底板部
Ａ：長手方向
Ｂ：周方向
Ｄ：真皮
Ｐ：患者
Ｓ：表皮
ＳＴ：皮下組織
【図１】
2020162777.tif 000003
【図２】
2020162777.tif 000004
【図３】
2020162777.tif 000005
【図４】
2020162777.tif 000006
【図５】
2020162777.tif 000007
【図６】
2020162777.tif 000008
【図７】
2020162777.tif 000009
【図８】
2020162777.tif 000010
【図９Ａ】
2020162777.tif 000011
【図９Ｂ】
2020162777.tif 000012